(57)【特許請求の範囲】
【請求項１】
可撓性を有する１枚のシート材から形成され、商品に被嵌可能な収納部を備えた保護容器であって、該収納部の対向する２つの側壁には商品に係止可能な係止凸部が収納部内へ突出して設けられ、前記２つの側壁とは異なる収納部の側面の少なくとも一方には商品取り出し口を設け、前記収納部と前記商品取り出し口との境界部分には商品に係止可能な係止部が商品取り出し口内へと突出して設けられ、前記係止凸部は、商品収納時に商品の底部に当接可能な高さで水平方向に延伸するように形成され、収納部内の商品を商品取り出し口方向へ押圧することにより、前記係止部の係止が解除されることを特徴とする保護容器。
【請求項２】
可撓性を有する１枚のシート材から形成され、商品に被嵌可能な収納部を備えた保護容器であって、該収納部の対向する２つの側壁には商品に係止可能な係止凸部が収納部内へ突出して設けられ、前記２つの側壁とは異なる収納部の側面の少なくとも一方には商品取り出し口を設け、前記収納部と前記商品取り出し口との境界部分には商品に係止可能な係止部が商品取り出し口内へと突出して設けられ、前記収納部の底部周縁部には底部より一段高く形成された段差面を設け、当該段差面に商品を載置することにより底部と商品との間で一定の空間を形成し、前記収納部の商品取り出し口の外側には、傾斜部が斜め上方へと延伸して前記側壁の上端まで達する傾斜面を形成し、前記係止部が前記段差面と前記傾斜部との境界部分に形成された段差であり、収納部内の商品を商品取り出し口方向へ押圧することにより、前記係止部の係止が解除されることを特徴とする保護容器。
【請求項３】
可撓性を有する１枚のシート材から形成され、商品に被嵌可能な収納部を備えた保護容器であって、該収納部の対向する２つの側壁には商品に係止可能な係止凸部が収納部内へ突出して設けられ、前記２つの側壁とは異なる収納部の側面の少なくとも一方には商品取り出し口を設け、前記収納部と前記商品取り出し口との境界部分には商品に係止可能な係止部が商品取り出し口内へと突出して設けられ、前記係止部が前記側壁に垂直方向に延伸する凸部であり、収納部内の商品を商品取り出し口方向へ押圧することにより、前記係止部の係止が解除されることを特徴とする保護容器。
【請求項４】
可撓性を有する１枚のシート材から形成され、商品に被嵌可能な収納部を備えた保護容器であって、該収納部の対向する２つの側壁には商品に係止可能な係止凸部が収納部内へ突出して設けられ、前記２つの側壁とは異なる収納部の側面の少なくとも一方には商品取り出し口を設け、前記収納部と前記商品取り出し口との境界部分には商品に係止可能な係止部が商品取り出し口内へと突出して設けられ、さらに商品を取り出す際の押出方向を示す表示部を設け、収納部内の商品を商品取り出し口方向へ押圧することにより、前記係止部の係止が解除されることを特徴とする保護容器。
【請求項５】
前記商品取り出し口と対向する収納部の側面に前記２つの側壁に連設する側壁を設けたことを特徴とする請求項１ないし４のいずれか１項に記載の保護容器。
【請求項６】
可撓性を有する１枚のシート材から形成され、商品に被嵌可能な収納部を備えた保護容器であって、該収納部の対向する２つの側壁には商品に係止可能な係止凸部が収納部内へ突出して設けられ、前記２つの側壁とは異なる収納部の側面の少なくとも一方には商品取り出し口を設け、前記収納部と前記商品取り出し口との境界部分には商品に係止可能な係止部が商品取り出し口内へと突出して設けられ、前記収納部の側面に商品取り出し口を対向して２箇所設け、収納部内の商品を商品取り出し口方向へ押圧することにより、前記係止部の係止が解除されることを特徴とする保護容器。
【発明の詳細な説明】
【技術分野】
【０００１】
本発明は、輸送及び保管時に商品を収納、保護するための保護容器に関し、更に詳細には、一枚のシートより一体成型され、収納した商品を確実かつ容易に取り外すことが可能な保護容器に関する。
【背景技術】
【０００２】
従来、商品を輸送する際に、箱やブリスターケースなどの保護容器に商品を入れて傷や埃等が付くことを防いでいる。特に、化粧品の分野では、ファンデーションやアイカラー、頬紅等を中心に、詰め替えが可能なリフィル容器による提供がなされるようになっている。このタイプの化粧料は使い切った後に、リフィル皿等のリフィル容器に充填されたリフィル用化粧料を購入し、繰り返し化粧料の本体容器に詰め替え使用するというものである。
【０００３】
こうしたリフィル皿用の保護容器は、構成を簡略化して一枚のシートより一体成型すれば資源やゴミの軽減に貢献するため、簡易な構成ものが開発されているが、構成を簡易なものとすると、収納されたリフィル皿が外部からの衝撃等で脱落しやすくなるおそれがある。そのため、かかる脱落を防ぐために保護容器のリフィル皿に対する係合保持力を高める必要があるが、その場合、逆にリフィル皿を保護容器から取り外しにくくなるという問題が生じていた。
【０００４】
そこで、本出願人は、かかる問題を解消すべく、リフィル皿収納部のほぼ中央に凸部を設けて、リフィル皿の裏側の一方を収納部内に押し込むと、該凸部を支点として押された側とは反対側が収納部から持ち上がり容易に取り外すことができるというリフィル皿用保護容器を開発した（特許文献１、２）。
【０００５】
かかるシーソー式離脱機構を採用する場合、収納部から持ち上がったリフィル皿の端部を簡単に指で把持できるよう、あらかじめ収納部の壁面の一部を切り欠いて、あるいは切り欠き可能に形成して、その部分から指を入れることが出来るようにすると、リフィル皿の取り外しがより容易となる。
【０００６】
しかしながら、当該機構を採用した保護容器に接した消費者は、商品を取り出す際にシーソー式離脱機構となっていることを把握できず、取り出しにくいと感じたり、あるいは、無理矢理商品を取り出そうとして、化粧料の表面に指が触れてしまうことがあった。
【０００７】
【特許文献１】特開２００３−２６５２２４
【特許文献２】特開２００４−２７５６４０
【発明の開示】
【発明が解決しようとする課題】
【０００８】
そこで本発明は、従来の保護容器のかかる欠点を克服し、簡易な構成により商品の取り外しが容易であるとともに商品の十分な係合保持力も有し、さらに、消費者が商品の取り外し方法について直感的に把握することが可能な保護容器の提供をその課題とするものである。
【課題を解決するための手段】
【０００９】
本発明は、上記課題を解決するものであり、可撓性を有する１枚のシート材から形成され、商品に被嵌可能な収納部を備えた保護容器であって、該収納部の対向する２つの側壁には商品に係止可能な係止凸部が収納部内へ突出して設けられ、前記２つの側壁とは異なる収納部の側面の少なくとも一方には商品取り出し口を設け、前記収納部と前記商品取り出し口との境界部分には商品に係止可能な係止部が商品取り出し口内へと突出して設けられ、収納部内の商品を商品取り出し口方向へ押圧することにより、前記係止部の係止が解除されることを特徴とする保護容器である。
【発明の効果】
【００１０】
本発明にかかる保護容器は、収納時には商品の動きを係止凸部及び係止部により規制して外れにくくし、商品の取り出しの際には収納部から商品取り出し口へと商品を押し出すことにより商品の係止が解除して離脱させることができ、商品を容易に取り外すことができる。
【００１１】
また、本発明で商品の押出方向を示す表示部を備えたものは、商品の取り外し方法について直感的に把握することができる。
【図面の簡単な説明】
【００１２】
【図１】（ａ）本発明の保護容器の平面図、（ｂ）本発明の保護容器の側面図、（ｃ）本発明の保護容器の正面図、（ｄ）本発明保護容器の背面図
【図２】（ａ）本発明保護容器にリフィル皿を収納した状態のＡ−Ａ断面図、（ｂ）本発明保護容器にリフィル皿を収納した状態のＢ−Ｂ断面図
【図３】本発明の保護容器の斜視図
【図４】（ａ）本発明の保護容器からリフィル皿を取り外す一連の状態を表す部分拡大断面図、（ｂ）本発明の保護容器からリフィル皿を取り外す一連の状態を表す部分拡大断面図、（ｃ）本発明の保護容器からリフィル皿を取り外す一連の状態を表す部分拡大断面図
【図５】（ａ）本発明の異なる態様の保護容器の平面図、（ｂ）本発明の異なる態様の保護容器にリフィル皿を収納した状態の断面図
【図６】（ａ）本発明の異なる態様の保護容器の平面図、（ｂ）本発明の異なる態様の保護容器にリフィル皿を収納した状態の断面図
【発明を実施するための形態】
【００１３】
以下、本発明の保護容器の実施態様を、図面に基づいて具体的に説明する。なお、本発明はこれら実施態様に何ら制約されるものではない。
【００１４】
図１〜図３に示すように、本発明の保護容器１は、可撓性を有する１枚のシートから一体成型され、商品に被嵌することにより内部に商品を収納可能な収納部１１を備える。以下、その具体的な構成について詳しく説明する。なお、以下の実施態様では収納される商品は化粧料を充填したリフィル皿とするが、収納される商品はこれに限定されるものではない。
【００１５】
本実施態様の保護容器１は、商品に被嵌可能な収納部１１を備え、かかる収納部１１は、底部１２と、底部１２より立設する２つの側壁１３と、２つの側壁１３に連設する側壁１６と、商品を取り出し可能な開口部を形成する商品取り出し口１４により区画される。そして、収納部１１の上方は開放しているため、収納された商品は底部１２側と反対側の面が外部に露出されて保持される。なお、本実施態様では、収納部１１を区画する側面は側壁１３、１６および商品取り出し口１４により構成されているが、側壁１６の代わりに商品取り出し口１４を対向して２箇所設けてもよい。
【００１６】
底部１２は収納される商品と平面視で略同一形状に形成されており、本実施態様では、底部１２の周縁部に底部１２より一段高く形成された段差面１２１が設けられている。収納部１１に収納される商品は、かかる段差面１２１に載置されることになるため、底部１２と商品との間には空間が形成される。このように、商品と底部１２との間で一定の空間が生じることにより、外部からの衝撃をかかる空間で吸収し、商品を効果的に保護することができる。また、商品が化粧料を充填したリフィル皿の場合、化粧料が底部１２に付着することを防ぐことができる。
【００１７】
底部１２の長手側の２辺からは（本実施態様では段差面１２１を介して）、２つの側壁１３が平行して立設している。また、底部１２の短手側の１辺からは（本実施態様では段差面１２１を介して）側壁１６が立設しており、その両端部が側壁１３に連設している。そして、側壁１６が設けられた底部１２の辺部と対向する辺部には、商品を取り出すための開口を形成する商品取り出し口１４を設けている。そして、２つの側壁１３は、それらの一部が収納部１１より更に延伸し、商品取り出し口１４より外側に延長するように形成されている。
【００１８】
商品取り出し口１４の外側には、傾斜部１５が設けられている。かかる傾斜部１５は、底部１２から（本実施態様では段差部１２１を介して）斜め上方へと延伸し、側壁１３の上端まで達する傾斜面を形成している。好ましい傾斜角度は１０〜５０度であり、更に好ましくは、１５〜４５度である。
【００１９】
収納部１１の商品取り出し口１４の境界部分には、商品収納時に商品の前端部に係止可能に形成された係止部１７が設けられている。詳しくは、段差面１２１と傾斜部１５の境界部分に、傾斜部１５側が高くなるような小段差を形成する係止部１７が設けられている。この係止部１７は、商品取り出し口１４の開口幅と略同一の幅に形成されており、その立ち上がりの高さは、０．１〜１．２ｍｍが好ましく、更に０．２〜１．０ｍｍが好ましい。
【００２０】
２つの側壁１３には、商品収納時に商品の底部に当接可能な高さで水平方向に延伸する係止凸部１３１が設けられている。係止凸部１３１は収納部１１内へと対向して突出し、それら２つの係止凸部１３１間の距離は、収納される商品の幅よりも狭くなるように形成されている。このため、収納部１１にリフィル皿２が収納された状態では、係止凸部１３１はリフィル皿２の底部２２の縁部に係止する。係止凸部１３１は、収納部１１の全長（側壁１６から商品取り出し口１４まで）にわたって形成しても良いが、商品の取り出しをより容易にするために、商品取り出し口１４から任意の間隔を空けて形成することが好ましい。当該間隔、すなわち係止部１７と係止凸部１３１の商品取り出し口１４との間隔は収納される商品の長さの１０〜３５％が好ましく、更に１５〜３０％が好ましい。
【００２１】
本実施態様の側壁１２、１６の上端からは、外側へ向けてフランジ１８が水平に延伸して形成されている。そして、側壁１６とフランジ１８の一部は凹陥して指入れ部１６１を形成する。かかる指入れ部１６１は、収納部１１に収納された商品と側壁１６との間に指先を入れることが可能なだけの空間を形成する。
【００２２】
また、フランジ１８の一部には、商品を取り出す際の押出方向を示す表示部１８１が設けられている。かかる表示部１８１により、需要者は直感的に商品の取り外し方法を把握することが可能となる。なお、本実施態様では、最も理解しやすい矢印の図をもって表示部１８１としているが、商品の摺動方向が把握できる表示であればこれに限定されない。
【００２３】
図２（ａ）、（ｂ）は、収納部１１内に商品である化粧料用のリフィル皿２が収納された断面図である。なお、図では説明の便宜上、底部１２を下側に表しているが、基本的にリフィル皿２は表側（化粧料面２１）が底部１２側を向いて収納される。すなわち、陳列の際には、保護容器１の底部１２側が正面もしくは上部となる（図３）。
【００２４】
かかる収納状態において、リフィル皿２は段差面１２１に載置された状態になっており、化粧料の表面２１と保護容器１の底部１２との間には空間が形成されている。かかる空間は、外部からの衝撃を緩衝する役割を果たす。そして、リフィル皿２の底部２２には係止凸部１３１が係止している。なお、係止凸部１３１は底部２２に常に接してもよいが、リフィル皿２を収納した状態で底部２２との間に多少の遊び（隙間）があってもよい。
【００２５】
そして、商品取り出し口１４側に位置するリフィル皿２の前端部２３は、その一部が係止部１７に当接可能している。なお、前端部２３と係止部１７は常に接していても良いが、商品を収納した状態で前端部２３と係止部１７との間に多少の遊び（隙間）があってもよい。
【００２６】
以上の通り、リフィル皿２は、前後への動きが係止部１７と側壁１６により、左右への動きが２つの側壁１３により規制され、また、上下への動きが係止凸部１３１と段差面１２１により規制された状態で収納部１１に保持されている。かかる状態において、リフィル皿２は前後左右および上下から保持されている形となっているため、収納部１１内に確実に保持され、外部から保護容器１に衝撃等が加わっても商品が収納部１１より脱落するおそれがない。
【００２７】
次に、収納部１１からリフィル皿２を取り出す方法について説明する。図４（ａ）〜（ｃ）は、本発明の保護容器からリフィル皿を取り外す一連の状態を表す部分拡大断面図である。まず、使用者は本発明の保護容器１の底部１２側を下にして保持する。そして、表示部１８１の矢印に従ってリフィル皿２を押し出すように、商品取り出し口１４とは反対側のリフィル皿２の後端部を押す。このとき、指入れ部１６１部分から露出しているリフィル皿２の後端部を指で押すと、力が確実にリフィル皿２に伝わりやすくなる。
【００２８】
リフィル皿２に対する押圧が一定の範囲内の場合、リフィル皿２の前端部２３と係止部１７が当接した状態が維持されるため、その移動は規制される（図４ａ）。しかし、係止部１７を形成しているのは小段差のため、リフィル皿２に対する押圧が一定の範囲を超えると、前端部２３が係止部１７を乗り越えることが可能となる（図４ｂ）。このように、リフィル皿２が係止部１７の段差を乗り越えるに際し、少なくともその段差の高さ分、前端部２３側が上方へ持ち上がる必要があるが、上述のとおり係止凸部１３１は商品取り出し口１４から任意の間隔を空けて形成されているため、リフィル皿２のかかる動きを阻害するおそれがない。
【００２９】
係止部１７を乗り越えたリフィル皿２は、前端部２３が傾斜部１５上で摺動しながら前方へ押し出されるため、前端部２３側が更に斜め上方へと持ち上がっていく。これに従い、リフィル皿２の底部２２が係止凸部１３１の下側から強く圧接され、収納部１１の側壁１３を内側から押し広げようとする。そして、保護容器１は可撓性を有する材料で形成されており、また、商品取り出し口１４は側壁がなく開放しているため、このように内側から強く押圧することにより側壁１３は外側へ撓む。これにより、対向する２つの係止凸部１３１の間にはリフィル皿２が通過可能な空間が生じる。
【００３０】
このように、係止凸部１３１の間にリフィル皿２が通過可能な空間が生じ、かかる空間内にリフィル皿２の一部が挿入されると、係止凸部１３１により規制されていたリフィル皿２の上方への動きも可能となる。その結果、リフィル皿２は前方及び上方への係止が解除され、収納部１１から離脱可能となる（図４ｃ）。そして、さらに矢印方向への押圧を加えることにより、前端部２３が傾斜部１５上で摺動しながらリフィル皿２は収納部１１外へ押し出され、保護容器１からの取り外しが完了する。
【００３１】
このように、リフィル皿２に対する押圧が一定の範囲を越えた時点で、リフィル皿２が係止部１７の段差を乗り越えるとともに係止凸部１３１の間を通過して係止が解除され、収納部１１からの取り外しが可能となる。なお、収納部１１へのリフィル皿２の収納は、上記の取り外し作業と逆の手順で行えばよい。すなわち、商品取り出し口１４からリフィル皿２を挿入し、収納部１１内に押し込むようにする。リフィル皿２の側壁が係止凸部１３１に当接するとリフィル皿２の動きに抵抗が生じるが、そのまま収納部１１内への押圧を続けると、側壁１３は外側へ撓み、リフィル皿２は係止凸部１３１の間を通過して収納部１１内に押し込まれて収納することができる。
【００３２】
また、リフィル皿２を係止凸部１３１上に水平に載置し、水平状態を維持したまま上方から収納部１１内へ押し込むことにより側壁１３を外側へ撓ませ、係止凸部１３１の間を通過させ収納することも可能である。更に、リフィル皿２を一方に傾けてリフィル皿２のいずれかの側面部を収納部１１内に挿入するとともに側壁１３に当接させ、反対側の側面部を上方から押し込むことで側壁１３を外側へ撓ませ、係止凸部１３１を乗り越えさせて収納することもできる。
【００３３】
図５は、本発明に係る保護容器１の第二の実施態様を示す。この第二実施態様の保護容器１は、側壁１３の構成において、底部１２より立設する内側壁がその上端部で外側へ折り返されて天壁を形成するとともに、さらに天壁の外縁から下方へ折り返されて外側壁を形成している。すなわち、側壁１３は一定の厚みを有する二重壁状に形成されている。
【００３４】
また、２つの側壁１３に連設する側壁１６も、側壁１３と同様の構成により一定の厚みを持たせた二重壁状に形成されている。このように、側壁１３、１６に一定の厚みを持たせることにより、保護容器１全体の剛性が向上し、リフィル皿２に対する保持力を高めることができる。
【００３５】
本実施態様の保護容器１のその他の基本的な構成は、第一の実施態様のものと同様であり、リフィル皿２の保持手段についても第一実施態様と同様である。すなわち、前後への動きが係止部１７と側壁１６により、左右への動きが２つの側壁１３により規制され、また、上下への動きが係止凸部１３１と段差面１２１により規制された状態で収納部１１に保持されている。そして、収納部１１からのリフィル皿２の取り外し方法についても第一実施態様と同様である。
【００３６】
図６は、本発明に係る保護容器１の第三の実施態様を示す。この第三実施態様の保護容器１は、第二実施態様の保護容器１と同様に、側壁１３及び側壁１６が一定の厚みを持たせた二重壁状に形成されているが、本実施態様の特徴的な部分として、側壁１６が２つの側壁１３を連結するように連続して形成されておらず、２つの側壁１３より一定の長さで対向するように突出する部分的な側壁として形成され、その中央部分は側壁１６を設けずに指入れ部１６１を形成する。
【００３７】
さらに、本実施態様の特徴的な点として、第一及び第二実施態様の商品取り出し口１４より外側へ延伸する傾斜部に相当する部分は平坦状に形成されて段差面１２１がそのまま延長している。そして、本実施態様の係止部１７は、収納部１１と商品取り出し口１４の境界部分に相当する側壁１３に垂直方向に延伸する凸部として設けられている。
【００３８】
かかる係止部１７は、商品取り出し口１４より外側の側壁１３から内側へ対向するように２箇所設けられており、係止部１７の間の距離は、収納される商品の幅よりも狭くなるように形成されている。このため、収納部１１に商品が収納された状態で、係止部１７はリフィル皿２の前端部２３に係止する。かかる係止部１７がリフィル皿２に係止することにより、リフィル皿２の前方への移動を規制することができる。
【００３９】
本実施態様の保護容器１からリフィル皿２を取り外す方法は以下の通りである。まず、使用者は本発明の保護容器１の底部１２側を下にして保持する。そして、表示部１８１の矢印に従ってリフィル皿２を押し出すように、商品取り出し口１４とは反対側の中皿２の側壁を押す。このとき、指入れ部１６１部分から露出する中皿２の側壁を指で押すと、力が確実にリフィル皿２に伝わる。
【００４０】
リフィル皿２に対する押圧が一定の範囲内の場合、フィリル皿２の前端部２３と係止部１７が当接した状態のままであるため、その移動は規制されている。そこで、さらにリフィル皿２に対する押圧を加えていくと、リフィル皿２の前端部２３が係止部１７に強く圧接され、収納部１１の側壁１３を内側から押し広げようとする。本発明の保護容器１は可撓性を有する材料で形成されており、また、商品取り出し口１４は側壁がなく開放しているため、このように内側から強く押圧することにより側壁１３は外側へ撓む。これにより、対向する２つの係止部１７の間にはリフィル皿２が通過可能な空間が生じる。
【００４１】
係止部１７の間にリフィル皿２が通過可能な空間が生じてかかる空間内にリフィル皿２の一部が挿入されると、リフィル皿２に対する係止が解除される。そして、さらに矢印方向への押圧を加えることにより、水平方向に摺動しながら中皿２は収納部１１外へ押し出され、これにより保護容器１からの取り外しが完了する。
【００４２】
以上説明した実施態様のものは、いずれも商品取り出し口１４が１箇所のみ設けられているが、これを２箇所としても良い。すなわち、側壁１３とは異なる収納部１１の側面に商品取り出し口１４を対向して２箇所設け、それらの商品取り出し口１４にはいずれも収納部１１との境界部分に係止部を設ければ良い。係止部１７は、第一及び第二実施態様のものと同様、収納部１１と商品取り出し口１４の境界部分に設けた小段差としても良く、また、第三実施態様のものと同様、側壁１３に垂直方向に延伸する凸部として設けてもよい。
【００４３】
本発明の保護容器１は、容器全体に適度な可撓性をもたせるために、ある程度の弾性を有する材料で形成することが望ましく、また、充填されたリフィル皿中の化粧料の色等を外部から簡単に視認できるものとするために、透明な材料を使用することが好ましい。このような条件を満たす材料としては、例えば、ポリエチレンテレフタレート、ポリスチレン、ポリプロピレン、ポリエチレン、ポリカーボネートやこれらの再生樹脂等のプラスチック材料等を挙げることができる。  
【符号の説明】
【００４４】
１  …  …  保護容器
２  …  …  リフィル皿
１１  …  …  収納部
１２  …  …  底部
１３  …  …  側壁
１４  …  …  商品取り出し口
１５  …  …  傾斜部
１６  …  …  側壁
１７  …  …  係止部
１８  …  …  フランジ
２１  …  …  化粧料面
２２  …  …  底部
２３  …  …  前端部
１２１  …  …  段差面
１３１  …  …  係止凸部  
１６１  …  …  指入れ部
１８１  …  …  表示部
【図１】
0006603089.tif 000002
【図２】
0006603089.tif 000003
【図３】
0006603089.tif 000004
【図４】
0006603089.tif 000005
【図５】
0006603089.tif 000006
【図６】
0006603089.tif 000007